(57)【要約】  粉末吸入器用の分散装置は、粒子の流れを供給するための環状の流路（１２）を有するマウスピース（１０）を含む。この環状の流路は、軸方向の流入口（１４）および軸方向の流出口（１６）を有し、この軸方向の流出口（１６）には、環状の方向変換チャンバ（１８）が隣接する。この方向変換チャンバ（１８）内において、軸方向に流入する粒子の流れが主として半径方向の流れに方向変換される。方向変換チャンバには、円周壁（２２）および軸方向流出口（２４）を有する回転チャンバ（２０）が軸方向において隣接する。【選択図】図１
2009526580.tif 000002
【特許請求の範囲】
【請求項１】
粒子の流れを供給するためのリング状の流路（１２）が内部に設けられるマウスピース（１０）を備えた粉末吸入器用分散装置であり、前記リング状の流路（１２）は、軸方向の流入口（１４）および軸方向の流出口（１６）を有する分散装置であって、前記軸方向の流出口（１６）にリング形状の方向変換チャンバ（１８）が隣接し、前記方向変換チャンバ（１８）内において、軸方向に流入する前記粒子の流れが主として半径方向の流れに方向変換され、かつ、前記方向変換チャンバ（１８）に、円周壁（２２）および軸方向流出口（２４）を有する回転チャンバ（２０）が軸方向において隣接する、分散装置。
【請求項２】
軸方向に対して斜めに向けられた複数の案内羽根（２６）が前記方向変換チャンバ（１８）の中に配置される、ことを特徴とする請求項１に記載の分散装置。
【請求項３】
前記案内羽根（２６）が前記粒子の流れを加速する効果を有する、ことを特徴とする請求項２に記載の分散装置。
【請求項４】
前記案内羽根（２６）が湾曲しており、その曲率が軸方向に低減する、ことを特徴とする請求項２または３に記載の分散装置。
【請求項５】
前記案内羽根（２６）が、その断面において、湾曲した輪郭線を備えた流線型の翼形状を有する、ことを特徴とする請求項２、３または４に記載の分散装置。
【請求項６】
前記案内羽根（２６）が、前記方向変換チャンバ（１８）の流入部の領域において丸められた前端部を有し、前記方向変換チャンバ（１８）の流出部の領域においてより小さい丸みの後端部を有する、ことを特徴とする請求項２〜５のいずれか１項に記載の分散装置。
【請求項７】
前記回転チャンバ（２０）の軸方向流出口（２４）が中心に配置される、ことを特徴とする請求項１〜６の少なくとも１項に記載の分散装置。
【請求項８】
放出流路（３０）、特に凹面状に拡大する放出流路が、前記回転チャンバ（２０）の軸方向流出口（２４）に隣接する、ことを特徴とする請求項１〜７の少なくとも１項に記載の分散装置。
【請求項９】
前記放出流路（３０）が、鋭いエッジをもって、特に鋭角の断面をもって、前記回転チャンバ（２０）に隣接する、ことを特徴とする請求項８に記載の分散装置。
【請求項１０】
前記放出流路（３０）が、前記放出される粒子の流れを軸方向に束ねる効果を得るために、流出側の末端部分に円筒状の領域（３３）を有する、ことを特徴とする請求項８または９に記載の分散装置。
【請求項１１】
前記回転チャンバ（２０）内における前記円周壁（２２）から前記軸方向流出口（２４）への移行部（２８）が部分的に湾曲している、ことを特徴とする請求項１〜１０の少なくとも１項に記載の分散装置。
【請求項１２】
前記リング状流路（１２）の流出口（１６）が全周にわたって延びている、ことを特徴とする請求項１〜１１の少なくとも１項に記載の分散装置。
【請求項１３】
前記リング状流路（１２）の軸方向の流出口（１６）と前記回転チャンバ（１８）の流出口（２４）との間に、外部空気供給用の空気流入開口は全く設けられない、ことを特徴とする請求項１〜１２の少なくとも１項に記載の分散装置。
【発明の詳細な説明】
【技術分野】
【０００１】
本発明は粉末吸入器用の分散装置に関する。
【背景技術】
【０００２】
このタイプの分散装置は一般的に知られており、エーロゾルの分散発生用として用いられている。エーロゾルは活性剤とラクトースのような担体物質との混合物を含む。担体物質は、主として、流動性のような調合物の物理的特性を制御する機能を果たす。この場合、微小な活性剤は、基本的には粗大な担体物質の表面に付着している。呼吸可能な活性剤粒子を高率で発生させるためには、吸入中に、担体粒子および活性剤粒子の間、あるいは活性剤粒子の集塊の間に存在する付着力に打ち勝たなければならない。このために必要なエネルギーは分散装置に取り入れられることができる。
【０００３】
既知の分散装置においては、分散させるために、衝突力または乱流、あるいはこれら２つの組み合わせが用いられる。また、衝突壁と付加的な供給空気流路とによって分散を発生させることも知られている。
【発明の開示】
【発明が解決しようとする課題】
【０００４】
本発明の目的は、構造が非常にコンパクトで組立が簡単な分散装置であって、吸引力を失うことなくできるだけ高い微小粒子分率を発生させることができる分散装置を提供することにある。
【課題を解決するための手段】
【０００５】
この目的は、請求項１の特徴によって、特に、粒子の流れを供給するためのリング状の流路が内部に設けられるマウスピースを備えた分散装置によって達成される。この場合、リング状の流路は、活性剤および担体物質の混合物を含む粒子の流れを供給するために、軸方向の流入口および軸方向の流出口を有する。本発明によれば、このリング状流路の軸方向の流出口に、リング形状の方向変換チャンバが隣接しており、そのチャンバ内において、軸方向に流入する粒子の流れが、主として半径方向の流れに方向変換される。同時に、この方向変換チャンバ内において、粒子の流れの加速を実現することが可能であり、それによって、軸方向において方向変換チャンバに隣接しかつ円周壁と軸方向流出口とを有する回転チャンバ内で、粒子の流れが円周形態に循環することになる。
【０００６】
従って、リング状流路から供給される粒子の流れを、マウスピースにおける吸引によってのみ、方向変換チャンバから出た後にリング形状の循環径路に持ち込むことができる。その場合、軽量の粒子、例えば粒子径が５μｍ未満の純粋活性剤粒子は、その低い遠心力のために、初期段階において回転チャンバの軸方向流出口から流出することができる。一方、粗大粒子、例えば活性剤が凝着された担体粒子は、その慣性質量のために回転チャンバ内に長く保持され、回転チャンバ内において多数回循環して、その過程で回転チャンバの周囲壁に衝突し、それによって、微小活性剤粒子が、追加的に、粗大担体粒子から分離する。全微小粒子は、減速された速度で、回転チャンバの軸方向流出口を通る空気流れに追随し、非弾道性エーロゾルとして吸入用に利用できる。
【０００７】
本発明によれば、方向変換チャンバおよび回転チャンバが粗大粒子の分離に用いられるのではなく、粗大粒子および微小粒子間の平均滞留時間が異なる配分が利用される。このため、粗大粒子も、吸入事象の終了まで回転チャンバから流出することができるので、吸入器の機能、または、別の注入用途の際の注入放出の一様性を劣化させる可能性がある真の粉末残留物は全く残らない。
【０００８】
本発明によるリング状流路は、軸方向に向けられた流入口および流出口を有する。しかし、そうではあるものの、一般的に、リング状流路に導入される粒子の流れは、接線方向の流れの成分をも含むことができる。
【０００９】
本発明の有利な実施形態は、本明細書と、図面と、従属請求項とに記述される。
【００１０】
第１の有利な実施形態によれば、軸方向に対して斜めに向けられた案内羽根を方向変換チャンバの中に配置することができる。環状空間を経由して軸方向に流入する粒子の流れを、このような案内羽根によって簡単に接線方向の流れに方向変換できる。その場合、同時に、方向変換翼の設計によって、方向変換チャンバ内における粒子の流れの加速を効果的に行うことができる。
【００１１】
この案内羽根は、所要の方向変換および加速効果を実現するように曲線形状にすることが有利である。この場合、案内羽根の曲率を軸方向に低減することが有利であり得る。これによって、案内羽根をタービン翼の方式で設計することが可能になり、可能最良の方向変換および加速を達成することができる。また、この場合、案内羽根が、断面において、湾曲した輪郭線を備えた翼形状を有することも有利であり得る。さらに、この場合、案内羽根が、方向変換チャンバの流入部の領域において丸められた前端部を有し、方向変換チャンバの流出部の領域においてより小さい丸みの後端部を有することも有利であり得る。実行したテストによれば、このような断面設計によって非常に良好な結果が得られる。
【００１２】
別の有利な実施形態によれば、回転チャンバの軸方向流出口が中心に配置される。これによって、軽い粒子は初期段階に流出口を通って回転チャンバから流出でき、一方、重い粒子は回転チャンバの周囲壁に沿って循環する。
【００１３】
さらに別の有利な実施形態によれば、末広がりの放出流路が回転チャンバの軸方向流出口に隣接している。この末広がり部分は凹面形状になっており、従って、吸入方向に対して横方向の比較的高い速度成分を有する回転チャンバ流出口からの流出エーロゾル粒子が、放出流路の領域内で減速され、これによって、エーロゾルの動きが主として流出流路における縦軸方向に向けられる。同時に、放出流路の断面積の増大によって、低速のエーロゾル放出が実現されるので、患者は非弾道性エーロゾルを吸入することになる。このようなマウスピースの形状を用いて流出方向および流出速度を変化させることによって、患者の口咽頭領域におけるエーロゾルの沈積が低減する。エーロゾルは、比較的高い半径方向速度で回転チャンバから流出口に流出するが、放出流路の末端におけるエーロゾルの流出速度は相対的に低速である。
【００１４】
放出流路の流出側の末端部分に円筒状の領域を設けると、それによって、放出される粒子の流れを軸方向に束ねる効果が得られるので、さらに有利であり得る。凹面形状の設計の代わりに、凸面形状の設計も考えることができる。
【００１５】
回転チャンバからの軽い粒子の沈積は、放出流路を、鋭いエッジを有するように形成し、特に鋭角の断面を有するエッジでもって回転チャンバに隣接させることによって、さらに追加的に改善できる。
【００１６】
さらにまた、回転チャンバ内において、円周壁から軸方向流出口への移行部を、部分曲率を有するように形成することが有利であることも判明している。その理由は、この方策が、一方では空気力学的な改善に効果を有し、他方では粒子の沈積を低減するからである。
【００１７】
本発明による分散装置においては、リング状流路の軸方向流出口と回転チャンバの流出口との間に、外部空気供給用の空気の流入開口は全く設けられない。これによって、分散装置の機能を維持するために追加的な吸引動力を加えなければならないという必要性がなくなる。この方式で追加動力を加えても、分散装置からの粉末の運動にも、また、実際の分散動力にも有利に働かない。粒子の流れの方向変換と咽頭に向けられた流出とは、本発明による幾何学的実践によってのみ実現される。
【００１８】
次に、本発明を、有利な実施形態に基づいて、かつ添付の図面を参照して、純粋に事例として説明する。
【発明を実施するための最良の形態】
【００１９】
図１は、マウスピース１０を備えた粉末吸入器（図示されていない）用分散装置を示す。マウスピース１０の下部側に、粒子流れ供給用のリング状流路１２が設けられる。粒子の流れは、一般的にマウスピースにおける吸引によって生成される、すなわち、例えば、吸入器において活性剤および担体物質の所定注入量を使用し得るように準備し、続いて、それをマウスピースから吸引してリング状流路１２の中に吸い込むことによって、粒子の流れが生成される。
【００２０】
リング状流路１２は、周囲方向において円周状に形成され、軸方向の流入口１４および軸方向の流出口１６を有し、流入口１４および流出口１６の両者はリング状流路１２の全周にわたって延びている。
【００２１】
リング状流路１２の軸方向流出口１６に隣接して、同様にリング形状の方向変換チャンバ１８が設けられる。この方向変換チャンバ１８はリング状流路１２とほぼ同じ半径方向の広がりを有し、この方向変換チャンバ１８において、軸方向に流入する粒子の流れが、主に半径方向の流れに方向変換される。方向変換チャンバ１８の流出部においてほぼ半径方向に向けられた粒子の流れは、次に、円周壁２２および軸方向流出口２４を有する回転チャンバ２０に導かれる。
【００２２】
図１に示すように、リング状流路１２の外径と、方向変換チャンバ１８の外径と、回転チャンバ２０の外径とはほぼ同一寸法である。リング状流路１２の内径および方向変換チャンバ１８の内径も互いに合致している。回転チャンバ２０の軸方向流出口２４の内径は、方向変換チャンバ１８の内径よりも小さい。
【００２３】
方向変換チャンバ１８に軸方向に流入する粒子の流れを主として半径方向の流れに方向変換し、かつ同時にそれを加速するために、複数の案内羽根２６を、その全周にわたって分布するように設け、軸方向に対して斜めの方位に向ける。各案内羽根２６は方向変換チャンバ１８の全断面にわたって延びている。各案内羽根は湾曲し、その曲率は軸方向に減少している。すなわち、その曲率は、方向変換チャンバ１８の流入部において流出部におけるよりも明白に大きく形成されている。案内羽根２６は、断面（縦軸方向断面）において、曲線化された輪郭線を備えた翼断面を有する。有利な実施形態によれば、案内羽根が、方向変換チャンバ１８の流入部の領域において丸められた前端部を有し、方向変換チャンバ１８の流出部の領域においてより小さい丸みの後端部を有する。その結果、案内羽根２６の断面は、航空機の翼と同様のものになる。
【００２４】
図１にさらに示すように、回転チャンバ２０の周囲壁２２は円筒形状であり、方向変換チャンバ１８の流出部に直接隣接している。さらに、方向変換チャンバ１８および回転チャンバ２０の軸方向長さはほぼ等しい寸法である。回転チャンバ２０は、その流出側の端部において、周囲壁２２と中心に配置される軸方向流出口２４との間の移行部を形成する端部壁２８を有する。この場合、円周壁２２から端部壁２８への移行部は、隅の部分において湾曲している。
【００２５】
放出流路３０は回転チャンバ２０の軸方向流出口２４に隣接するが、その周囲壁３２は凹面状に拡大している。しかし、回転チャンバ２０の端部壁２８と放出流路３０の周囲壁３２との間の移行部は、鋭いエッジを有するように形成され、図示の実施形態においては鋭角を有するように作られている。さらに、放出流路３０は、その流出側の末端部分に円筒状の領域３３を有する。この円筒状の領域３３は放出流路３０の末端まで延びており、放出される粒子の流れを軸方向に束ねる効果を有する。
【００２６】
図１に示すように、リング状流路１２の流入口１４と放出流路３０との間には、外部空気供給用の空気流入開口は全く設けられない。
【００２７】
以上述べた分散装置を使用する際には、患者がマウスピース１０から吸引し、それによって、粒子の流れがマウスピースを通って図示の矢印の方向（軸方向）に導かれる。この粒子の流れは、粉末吸入器（図示されていない）によって所要の注入量に予め使用可能に準備されたものである。吸引された粒子の流れは、最初に、流入口１４を通ってリング状流路１２に導入され、リング状流路１２から、リング形状の軸方向流出口１６を通ってリング形状の方向変換チャンバ１８に流出する。方向変換チャンバ１８において、粒子の流れは、一方では案内羽根２６によって加速され、他方では主として半径方向の流れに方向変換される。その結果、粒子の流れは、方向変換チャンバ１８の流出部において、方向変換チャンバ１８に軸方向に隣接する回転チャンバ２０の中にほぼ接線方向から流入する。粒子の流れは回転チャンバ２０内で回転し、その場合、重い粒子は円周壁２２の領域で長く循環し、軽い粒子は、空気流れに追随して、放出流路３０の方向により速やかに移動する。
【００２８】
回転チャンバ２０内で当初循環する重い粒子は、その循環中に、周囲壁２２との接触によって次第に小さい（活性剤）粒子を多く放出するようになり、最終的には、回転チャンバ２０内に循環するこれらの粒子が同じように空気流れに追随して、同様に放出されるに至る。
【００２９】
以上述べた分散装置は、有利な実施形態によれば、プラスチックから製造される。この場合、案内羽根２６をインサート２７と共に一体品として製作すること、例えば射出成形部品として製作することが有利であり得る。この場合は、案内羽根２６がその上に成形されるインサート２７を、マウスピース１０の内部に差し込むことができる。
【図面の簡単な説明】
【００３０】
【図１】分散装置の部分的な側断面図である。
【符号の説明】
【００３１】
１０  マウスピース
１２  リング状流路
１４  リング状流路の流入口
１６  リング状流路の流出口
１８  方向変換チャンバ
２０  回転チャンバ
２２  円周壁
２４  回転チャンバの流出口
２６  案内羽根
２７  インサート
２８  端部壁（移行部）
３０  放出流路
３２  周囲壁
３３  円筒状領域
【図１】
2009526580.tif 000003
【国際調査報告】
2009526580.tif 000004
2009526580.tif 000005
2009526580.tif 000006
2009526580.tif 000007
2009526580.tif 000008
2009526580.tif 000009